【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
端末装置と、前記端末装置の外部の装置である外部装置を介さず直接的に接続する通信装置であって、
前記通信装置の通信設定を実行するための設定コマンドを前記端末装置から受信可能な受信手段と、
前記通信装置の通信設定を実行するための設定操作を、前記通信装置が備える操作部を介してユーザから受け付け可能な操作受付手段と、
前記通信装置の通信設定を実行する設定手段と、を有し、
前記設定手段は、前記外部装置を介さず直接的に接続する状態で前記通信装置を動作させるためのコマンドを含む前記設定コマンドが前記受信手段により受信された場合、前記外部装置を介さない前記端末装置との直接的な接続に利用するチャネルを決定する装置として動作するか否かを特定する特定処理を実行せずに、前記外部装置を介さず直接的に接続する状態で前記通信装置を動作させるための通信設定を実行し、前記特定処理を実行して前記外部装置を介さず直接的に接続する状態で前記通信装置を動作させるための通信設定を実行せず、
前記外部装置を介さず直接的に接続する状態で前記通信装置を動作させるための前記設定操作が前記操作受付手段により受け付けられた場合、前記特定処理を実行して前記外部装置を介さず直接的に接続する状態で前記通信装置を動作させるための通信設定と、前記特定処理を実行せずに前記外部装置を介さず直接的に接続する状態で前記通信装置を動作させるための通信設定のうち、前記ユーザから受け付けられた操作に応じた通信設定を実行することを特徴とする通信装置。
【請求項２】
前記設定コマンドが前記受信手段により受信され、且つ前記通信装置が前記外部装置を介さず直接的に接続する状態で動作している場合、前記設定手段は、前記特定処理を実行せずに前記外部装置を介さず直接的に接続する状態で前記通信装置を動作させるための通信設定、及び前記設定コマンドに応じた通信設定を実行することを特徴とする請求項１に記載の通信装置。
【請求項３】
前記外部装置を介さず直接的に接続する状態で前記通信装置を動作させるためのコマンドを含む前記設定コマンドが前記受信手段により受信され、且つ前記通信装置が前記特定処理を実行する状態で動作している場合、前記設定手段は、前記特定処理を実行せずに前記外部装置を介さず直接的に接続する状態で前記通信装置を動作させるための通信設定を実行することを特徴とする請求項１又は２に記載の通信装置。
【請求項４】
前記特定処理を実行する状態で前記通信装置を動作させるためのコマンドを含む前記設定コマンドが前記受信手段により受信されたことに応じて、前記設定手段は、前記特定処理を実行する状態で前記通信装置を動作させるための通信設定を実行することを特徴とする請求項１又は２に記載の通信装置。
【請求項５】
前記外部装置を介さず直接的に接続する状態で前記通信装置を動作させるためのコマンドを含む前記設定コマンドが前記受信手段により受信されたことに応じて、前記外部装置を介さずに前記通信装置と前記端末装置を直接的に接続させるＰ２Ｐ接続手段をさらに有することを特徴とする請求項１乃至４のいずれか１項に記載の通信装置。
【請求項６】
前記外部装置を介して接続する状態で前記通信装置を動作させるためのコマンドを含む前記設定コマンドが前記受信手段により受信されたことに応じて、前記外部装置を介して、前記通信装置と前記端末装置とを接続させるインフラ接続手段をさらに有することを特徴とする請求項１乃至５のいずれか１項に記載の通信装置。
【請求項７】
前記設定手段は、前記外部装置を介さず直接的に接続する状態で前記通信装置を動作させるためのコマンドを含む前記設定コマンドが前記受信手段により受信されたことに応じて、前記特定処理を実行しない状態で前記通信装置を動作させるための通信設定を実行することを特徴とする請求項６に記載の通信装置。
【請求項８】
前記通信装置内の所定のアクセスポイントを有効化する有効化手段をさらに有し、
前記受信手段は、前記有効化手段により有効化された前記アクセスポイントと接続している前記端末装置から、前記設定コマンドを受信することを特徴とする請求項１乃至７のいずれか１項に記載の通信装置。
【請求項９】
前記操作受付手段は、さらに、前記特定処理を実行する状態で前記通信装置を動作させるための前記設定操作を、前記通信装置が備える操作部を介してユーザから受け付け可能であり、
前記設定手段は、前記外部装置を介さず直接的に接続する状態で前記通信装置を動作させるための前記設定操作が前記操作受付手段により受け付けられた場合、前記特定処理を実行する状態で前記通信装置を動作させるための前記設定操作が前記操作受付手段により受け付けられていれば、前記特定処理を実行して前記外部装置を介さず直接的に接続する状態で前記通信装置を動作させるための通信設定を実行し、前記外部装置を介さず直接的に接続する状態で前記通信装置を動作させるための前記設定操作が前記操作受付手段により受け付けられた場合、前記特定処理を実行しない状態で前記通信装置を動作させるための前記設定操作が前記操作受付手段により受け付けられたとしても、前記特定処理を実行せずに前記外部装置を介さず直接的に接続する状態で前記通信装置を動作させるための通信設定を実行することを特徴とする請求項１乃至８のいずれか１項に記載の通信装置。
【請求項１０】
前記設定手段は、Ｗｉ−Ｆｉ  Ｄｉｒｅｃｔ（登録商標）によって、前記外部装置を介さずに前記端末装置と接続可能な状態で前記通信装置を動作させるための通信設定を実行することを特徴とする請求項１乃至９のいずれか１項に記載の通信装置。
【請求項１１】
前記受信手段は、前記設定コマンドを、Ｗｉ−Ｆｉ（登録商標）又はＢｌｕｅｔｏｏｔｈ（登録商標）によって端末装置から受信可能であることを特徴とする請求項１乃至１０のいずれか１項に記載の通信装置。
【請求項１２】
端末装置と、前記端末装置の外部の装置である外部装置を介さず直接的に接続する通信装置の制御方法であって、
前記通信装置の通信設定を実行するための設定コマンドを前記端末装置から受信可能な受信ステップと、
前記通信装置の通信設定を実行するための設定操作を、前記通信装置が備える操作部を介してユーザから受け付け可能な操作受付ステップと、
前記通信装置の通信設定を実行する設定ステップと、を有し、
前記外部装置を介さず直接的に接続する状態で前記通信装置を動作させるためのコマンドを含む前記設定コマンドが受信された場合、前記外部装置を介さない前記端末装置との直接的な接続に利用するチャネルを決定する装置として動作するか否かを特定する特定処理を実行せずに、前記外部装置を介さず直接的に接続する状態で前記通信装置を動作させるための通信設定が実行され、前記特定処理を実行して前記外部装置を介さず直接的に接続する状態で前記通信装置を動作させるための通信設定が実行されず、
前記外部装置を介さず直接的に接続する状態で前記通信装置を動作させるための前記設定操作が受け付けられた場合、前記特定処理を実行して前記外部装置を介さず直接的に接続する状態で前記通信装置を動作させるための通信設定と、前記特定処理を実行せずに前記外部装置を介さず直接的に接続する状態で前記通信装置を動作させるための通信設定のうち、前記ユーザから受け付けられた操作に応じた通信設定が実行されることを特徴とする制御方法。
【請求項１３】
端末装置と、前記端末装置の外部の装置である外部装置を介さず直接的に接続する通信装置に、
前記通信装置の通信設定を実行するための設定コマンドを前記端末装置から受信可能な受信ステップと、
前記通信装置の通信設定を実行するための設定操作を、前記通信装置が備える操作部を介してユーザから受け付け可能な操作受付ステップと、
前記通信装置の通信設定を実行する設定ステップと、を実行させ、
前記外部装置を介さず直接的に接続する状態で前記通信装置を動作させるためのコマンドを含む前記設定コマンドが受信された場合、前記外部装置を介さない前記端末装置との直接的な接続に利用するチャネルを決定する装置として動作するか否かを特定する特定処理を実行せずに、前記外部装置を介さず直接的に接続する状態で前記通信装置を動作させるための通信設定が実行され、前記特定処理を実行して前記外部装置を介さず直接的に接続する状態で前記通信装置を動作させるための通信設定が実行されず、
前記外部装置を介さず直接的に接続する状態で前記通信装置を動作させるための前記設定操作が受け付けられた場合、前記特定処理を実行して前記外部装置を介さず直接的に接続する状態で前記通信装置を動作させるための通信設定と、前記特定処理を実行せずに前記外部装置を介さず直接的に接続する状態で前記通信装置を動作させるための通信設定のうち、前記ユーザから受け付けられた操作に応じた通信設定が実行されることを特徴とするプログラム。
【手続補正２】
【補正対象書類名】明細書
【補正対象項目名】０００８
【補正方法】変更
【補正の内容】
【０００８】
上記課題を解決するため、本発明の通信装置は、端末装置と、前記端末装置の外部の装置である外部装置を介さず直接的に接続する通信装置であって、
前記通信装置の通信設定を実行するための設定コマンドを前記端末装置から受信可能な受信手段と、
前記通信装置の通信設定を実行するための設定操作を、前記通信装置が備える操作部を介してユーザから受け付け可能な操作受付手段と、
前記通信装置の通信設定を実行する設定手段と、を有し、
前記設定手段は、前記外部装置を介さず直接的に接続する状態で前記通信装置を動作させるためのコマンドを含む前記設定コマンドが前記受信手段により受信された場合、前記外部装置を介さない前記端末装置との直接的な接続に利用するチャネルを決定する装置として動作するか否かを特定する特定処理を実行せずに、前記外部装置を介さず直接的に接続する状態で前記通信装置を動作させるための通信設定を実行し、前記特定処理を実行して前記外部装置を介さず直接的に接続する状態で前記通信装置を動作させるための通信設定を実行せず、
前記外部装置を介さず直接的に接続する状態で前記通信装置を動作させるための前記設定操作が前記操作受付手段により受け付けられた場合、前記特定処理を実行して前記外部装置を介さず直接的に接続する状態で前記通信装置を動作させるための通信設定と、前記特定処理を実行せずに前記外部装置を介さず直接的に接続する状態で前記通信装置を動作させるための通信設定のうち、前記ユーザから受け付けられた操作に応じた通信設定を実行することを特徴とする。